(57)【要約】      （修正有）【課題】容器の瓶口を差し込んで容器が転がることを防ぐ容器固定片構造を提供する。【解決手段】固定片１０はプレート状本体１１を含む。プレート状本体は、多辺形であり、少なくとも１つの隙間孔１２を有する。隙間孔には、円孔から外方へ等角度で複数の隙間１３が放射線状に形成される。円孔には、変形自在な弾性舌１４が環設されている。隙間孔が複数の場合は、プレート状本体上には、折り線が設けられ、固定片を二つ折りにすると、隙間孔の位置が互いに対応する。【選択図】図１
0003187940.tif 000002
【実用新案登録請求の範囲】
【請求項１】
固定片がプレート状本体を含む容器固定片構造であって、
前記プレート状本体は、多辺形であり、少なくとも１つの隙間孔を有し、
前記隙間孔には、円孔から外方へ等角度で複数の隙間が放射線状に形成され、前記円孔には、変形自在な弾性舌が環設されていることを特徴とする容器固定片構造。
【請求項２】
前記プレート状本体上には、折り線が設けられ、前記固定片を二つ折りにすると、前記隙間孔の位置が互いに対応することを特徴とする請求項１に記載の容器固定片構造。
【考案の詳細な説明】
【技術分野】
【０００１】
本考案は、容器を差し込む固定片構造に関し、特に、容器の瓶口を差し込んで容器が転がることを防ぐ容器固定片構造に関する。
【背景技術】
【０００２】
観察すると分かるように、酒などの飲料の飲み物容器の大部分は、外観が円筒状であるため、倒れると転がって位置が移動し、気付くのに遅れると飲料容器がテーブル面の外へ落ちる虞があり、もしガラス容器を落として壊してしまった場合、身体の安全を脅かす虞があった。従来、ボトルホルダーなどの用品が使用されていたが、何処にでもボトルホルダーがあるわけではなく、ボトルホルダーをわざわざ探して容器を置く者は非常に稀であるため、酒などの飲み物容器はテーブル上に適当に置かれることが一般的である。そのため容器瓶がテーブルから床に落下して割れ、人に怪我をさせる虞もあった。
【考案の概要】
【考案が解決しようとする課題】
【０００３】
本考案の目的は、製作が容易で、容器へ容易に差し込んで円形容器が倒れて転がることを防ぐ容器固定片構造を提供することにある。
【課題を解決するための手段】
【０００４】
上記課題を解決するために、本考案の第１の形態によれば、固定片がプレート状本体を含む容器固定片構造であって、前記プレート状本体は、多辺形であり、少なくとも１つの隙間孔を有し、前記隙間孔には、円孔から外方へ等角度で複数の隙間が放射線状に形成され、前記円孔には、変形自在な弾性舌が環設されていることを特徴とする容器固定片構造が提供される。
【０００５】
前記プレート状本体上には、折り線が設けられ、前記固定片を二つ折りにすると、前記隙間孔の位置が互いに対応することが好ましい。
【図面の簡単な説明】
【０００６】
【図１】図１は、本考案の第１実施形態に係る容器固定片構造を示す斜視図である。
【図２】図２は、本考案の第１実施形態に係る容器固定片構造の固定片へ容器が差し込まれたときの状態を示す斜視図である。
【図３】図３は、本考案の第２実施形態に係る容器固定片構造を示す斜視図である。
【図４】図４は、図３の固定片を折り畳んで容器が差し込まれたときの状態を示す斜視図である。
【図５】図５は、図３の固定片へ２つの容器が同時に差し込まれたときの状態を示す斜視図である。
【考案を実施するための形態】
【０００７】
以下、本考案の実施形態について図に基づいて説明する。なお、これによって本考案が限定されるものではない。
【０００８】
（第１実施形態）
図１を参照する。図１に示すように、本考案の第１実施形態に係る容器固定片構造の固定片１０は、プレート状本体１１を含む。プレート状本体１１の外観は、多辺を有する幾何学的形状であり、本実施形態では四辺形を例にとり説明するが、これだけに限定されるわけではない。プレート状本体１１には、隙間孔１２が形成される。隙間孔１２は、円孔から外方へ等角度で複数の隙間１３が放射線状に形成されている。円孔の周囲には、複数の弾性舌１４が形成されている。弾性舌１４は、押圧されると適宜な形に変形可能である。第１実施形態の固定片１０は、紙、プラスチックなど弾性を有する材料からなってもよい。
【０００９】
図２を参照する。図２は、本考案の第１実施形態に係る容器固定片構造の固定片へ容器が差し込まれたときの状態を示す斜視図である。図２に示すように、弾性舌１４は、瓶首２２の外径に合致するように、弾性回復力により適宜変形する。
【００１０】
第１実施形態の固定片１０は、容器２０が転がることを防ぐように、容器２０の外径より大きな幅を有し、第１実施形態の固定片１０へ瓶の首部又は胴体部を挿通させると、固定片１０により容器２０を支えて容器２０の胴体部がテーブル面から離れて一定角度が保たれるようにし、固定片１０の形状が多辺形であるため、固定片１０に差し込んだ容器２０が転がることを防ぐことができる。
【００１１】
（第２実施形態）
図３を参照する。図３に示すように、本考案の第２実施形態に係る容器固定片構造の固定片３０は、第１実施形態と同様にプレート状本体３１を有するが、プレート状本体３１の面積が２倍である点が第１実施形態と異なる。プレート状本体３１には、２つの隙間孔３２が形成される。隙間孔３２は、円孔から外方へ等角度で複数の隙間３３が放射線状に形成され、複数の弾性舌３４が環設されている。固定片のプレート状本体３１上には、折り線３５が設けられ、固定片３０を二つ折りにすると、２つの隙間孔３２の位置が互いに対応する。また、２つの隙間孔３２の隙間３３及び弾性舌３４は、折り曲げるとそれぞれの位置が対応する。
【００１２】
図４を参照する。図４は、図３の固定片３０を折り畳んでから容器２０が差し込まれたときの状態を示す斜視図である。図４に示すように、第２実施形態の固定片構造において、２つの隙間孔３２の隙間３３と弾性舌３４とを対応するように重ねると、固定片と瓶胴体部との間の隙間が小さくなり、瓶口から酒などの瓶の内容物が流れ出ることを防ぐことができる。
【００１３】
図５を参照する。図３の固定片へ２つの容器を同時に差し込んだときの状態を示す斜視図である。図５に示すように、複数の容器を差し込むことにより、転がることを防ぐことができる上、テーブル面の容器瓶を綺麗に並べることができる。当業者であれば容易に理解できるように、第２実施形態の構造に、大き目の面積を有するシート状本体を利用し、その上に少なくとも１つの間隙孔を形成して同様の効果を得てもよい。
【００１４】
上述したことから分かるように、本考案の容器固定片構造は、ユーザが携行するのに便利である上、販売する際に積み重ねて置いたり、他の商品を販売する際無料で提供したりすることもできるため実用的である。また、固定片に差し込まれた容器は安定的に複数積み重ねることができる。
【００１５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  固定片
１１  プレート状本体
１２  隙間孔
１３  隙間
１４  弾性舌
２０  容器
２１  瓶口
２２  瓶首
３０  固定片
３１  プレート状本体
３２  隙間孔
３３  隙間
３４  弾性舌
３５  折り線
【図１】
0003187940.tif 000003
【図２】
0003187940.tif 000004
【図３】
0003187940.tif 000005
【図４】
0003187940.tif 000006
【図５】
0003187940.tif 000007
【手続補正書】
【提出日】平成25年10月23日(2013.10.23)
【手続補正１】
【補正対象書類名】実用新案登録請求の範囲
【補正対象項目名】請求項２
【補正方法】変更
【補正の内容】
【請求項２】
前記隙間孔が複数の場合、前記プレート状本体上には、折り線が設けられ、前記固定片を二つ折りにすると、前記隙間孔の位置が互いに対応することを特徴とする請求項１に記載の容器固定片構造。
【手続補正２】
【補正対象書類名】明細書
【補正対象項目名】０００５
【補正方法】変更
【補正の内容】
【０００５】
前記隙間孔が複数の場合、前記プレート状本体上には、折り線が設けられ、前記固定片を二つ折りにすると、前記隙間孔の位置が互いに対応することが好ましい。